(57)【要約】【課題】１台の携帯情報端末が複数のユーザに共有された場合に、各共有ユーザがプライバシーの十分に保護された状態で安全に携帯情報端末を使用できるようにする。【解決手段】携帯情報端末は、システム起動時におけるボタン押下状態、ユーザ及びユーザ認識情報の入力督促タイミングを関連付けてユーザ設定情報として設定するユーザ設定手段と、ユーザ設定手段により設定されたユーザ設定情報を記憶手段に格納する設定情報格納手段と、システム起動時に押下されたボタンを検出し、記憶手段に保持されたユーザ設定情報を用いて、検出したボタン押下状態に対応するユーザを特定し、該ユーザでのシステム起動を行う指定ユーザ起動手段と、指定ユーザ起動手段によるシステム起動後、ユーザ設定手段で設定された入力督促タイミングでユーザ識別情報の入力を促し、入力されたデータを用いて正当なユーザ否かを確認するユーザ確認手段と、を有する。【選択図】図１
2010130506.tif 000002
【特許請求の範囲】
【請求項１】
システム起動時におけるボタン押下状態、ユーザ及びユーザ認識情報の入力督促タイミングを関連付けてユーザ設定情報として設定するユーザ設定手段と、
前記ユーザ設定手段により設定された前記ユーザ設定情報を記憶手段に格納する設定情報格納手段と、
システム起動時に押下されたボタンを検出し、前記記憶手段に保持された前記ユーザ設定情報を用いて、前記検出したボタン押下状態に対応するユーザを特定し、該ユーザでのシステム起動を行う指定ユーザ起動手段と、
前記指定ユーザ起動手段によるシステム起動後、前記ユーザ設定手段で設定された入力督促タイミングで前記ユーザ識別情報の入力を促し、入力されたデータを用いて正当なユーザ否かを確認するユーザ確認手段と、
を有することを特徴とする携帯情報端末。
【請求項２】
前記指定ユーザ起動手段は、システム起動時に電源ボタンのみ押下された場合に、使用可能な機能や閲覧可能なデータが制限されたデフォルトユーザでのシステム起動を行い、システム起動時に電源ボタンと他のボタンが押下された場合に、ボタン押下状態に対応するユーザを特定して該ユーザでのシステム起動を行うことを特徴とする請求項１に記載の携帯情報端末。
【請求項３】
前記ユーザ設定手段は、システム起動時に電源ボタンのみ押下され、かつ、前記ユーザ識別情報が入力された場合に、前記ユーザ設定情報の設定を行うことを特徴とする請求項１又は２に記載の携帯情報端末。
【請求項４】
前記ユーザ設定手段は、使用可能な機能や閲覧可能なデータをユーザごとに設定することを特徴とする請求項１から３のいずれか１項に記載の携帯情報端末。
【請求項５】
前記ユーザ確認手段は、入力されたデータと前記ユーザ識別情報との不一致が所定回数継続した場合にシステムを強制終了することを特徴とする請求項１から４のいずれか１項に記載の携帯情報端末。
【請求項６】
システム起動時におけるボタン押下状態、ユーザ及びユーザ認識情報の入力督促タイミングを関連付けてユーザ設定情報として設定するユーザ設定ステップと、
前記ユーザ設定ステップで設定された前記ユーザ設定情報を記憶手段に格納する設定情報格納ステップと、
システム起動時に押下されたボタンを検出し、前記設定情報格納ステップで格納された前記ユーザ設定情報を用いて、前記検出したボタン押下状態に対応するユーザを特定し、該ユーザでのシステム起動を行う指定ユーザ起動ステップと、
前記指定ユーザ起動ステップによるシステム起動後、前記ユーザ設定手段で設定された入力督促タイミングで前記ユーザ識別情報の入力を促し、入力されたデータを用いて正当なユーザ否かを確認するユーザ確認ステップと、
を有することを特徴とする携帯情報端末の起動制御方法。
【請求項７】
前記指定ユーザ起動ステップは、システム起動時に電源ボタンのみ押下された場合に、使用可能な機能や閲覧可能なデータが制限されたデフォルトユーザでのシステム起動を行い、システム起動時に電源ボタンと他のボタンが押下された場合に、ボタン押下状態に対応するユーザを特定して該ユーザでのシステム起動を行うことを特徴とする請求項６に記載の携帯情報端末の起動制御方法。
【請求項８】
システム起動時におけるボタン押下状態、ユーザ及びユーザ認識情報の入力督促タイミングを関連付けてユーザ設定情報として設定するユーザ設定処理と、
前記ユーザ設定処理で設定された前記ユーザ設定情報を記憶手段に格納する設定情報格納処理と、
システム起動時に押下されたボタンを検出し、前記設定情報格納処理で格納された前記ユーザ設定情報を用いて、前記検出したボタン押下状態に対応するユーザを特定し、該ユーザでのシステム起動を行う指定ユーザ起動処理と、
前記指定ユーザ起動処理によるシステム起動後、前記ユーザ設定手段で設定された入力督促タイミングで前記ユーザ識別情報の入力を促し、入力されたデータを用いて正当なユーザ否かを確認するユーザ確認処理と、
をコンピュータに実行させることを特徴とするプログラム。
【請求項９】
前記指定ユーザ起動処理は、システム起動時に電源ボタンのみ押下された場合に、使用可能な機能や閲覧可能なデータが制限されたデフォルトユーザでのシステム起動を行い、システム起動時に電源ボタンと他のボタンが押下された場合に、ボタン押下状態に対応するユーザを特定して該ユーザでのシステム起動を行うことを特徴とする請求項８に記載のプログラム。
【請求項１０】
請求項８又は９に記載のプログラムを記録したコンピュータ読み取り可能な記録媒体。
【発明の詳細な説明】
【技術分野】
【０００１】
本発明は、携帯情報端末、その起動制御方法、プログラム及びコンピュータ読み取り可能な記録媒体に関し、特に、複数ユーザにより共有され、各ユーザで別々に使用される携帯情報端末に好ましく適用される技術に関するものである。
【背景技術】
【０００２】
現在では、携帯電話機やＰＤＡ（Personal Digital Assistants）といった携帯情報端末は、個人で所有し使用することが前提となっているため、ユーザ変更の必要はない。しかし、携帯情報端末を紛失した場合や、悪意を持った第三者に携帯情報端末を操作されることを考慮して、ユーザ以外の者による端末操作を防止するセキュリティ対策は不可欠である。
【０００３】
現在では個人所有が前提となっている携帯情報端末も、ユーザのニーズやライフスタイルの変化から、将来的には１台を複数人で共有され、各人により別々に使用されるようになることも十分考えられる。例えば家族やルームメイトが１台のＰＤＡを共有して、各ユーザがそれぞれ別々の時間にそのＰＤＡを使用するような場合が考えられる。このような場合、ユーザごとにシステム起動を行うことが適切であり、ユーザごとに使用できる機能や閲覧できるデータを制限できるようにすることがセキュリティ対策またプライバシー保護の観点から必要となる。
【０００４】
ところで、例えば特許文献１において、所有者以外の第三者の不正利用を防止する携帯端末装置が開示されている。当該携帯端末装置では、スイッチと同時に所定の操作キーを押下とき、電源部からの電源供給によりＣＰＵが起動して、所定キーの押下の有無を検出し、所定キーの押下が検出されると携帯端末装置はその所有者により使用されたと判断して処理を開始する。
【０００５】
また、例えば特許文献２において、携帯電話機の電源投入時に、無線通信系統に電源を供給せず、直接にフライトモードで立ち上げるようにすることを目的とした携帯通信端末が開示されている。当該携帯通信端末では、電源切断状態に電源投入ボタンと同時に第１操作ボタンが押下されたとき、アプリケーション系統のみに電源を供給して立ち上げ、アプリケーション系統の動作のみ可能とする。すなわち、無線通信系統については、電源が切断されている状態を継続し、電波の送受信は行わず、音声及びメールの送信及び受信を行えない状態を継続する。
【特許文献１】特開２０００−１９７１４１号公報
【特許文献２】特開２００７−３１１９５６号公報
【発明の開示】
【発明が解決しようとする課題】
【０００６】
特許文献１の発明は、第三者の不正利用を防止することを狙いとしたものであるが、複数ユーザにより端末が共有されることは想定されておらず、所有ユーザの各人により端末が適正に使用されるようにする対策は講じられていない。また、特許文献２の発明は、端末内の所定の機能のみ動作可能とすることを目的としたものであるが、特許文献１と同様に、複数ユーザによる端末共有やユーザ各人による端末使用が考慮されていないため、複数ユーザがプライバシーの十分に保護された状態で安全に端末を使用できるようにすることは困難である。
【０００７】
そこで、本発明は、１台の携帯情報端末が複数のユーザに共有された場合に、各共有ユーザがプライバシーの十分に保護された状態で安全に携帯情報端末を使用できるようにすることを目的とする。
【課題を解決するための手段】
【０００８】
かかる目的を達成するために、本発明の携帯情報端末は、システム起動時におけるボタン押下状態、ユーザ及びユーザ認識情報の入力督促タイミングを関連付けてユーザ設定情報として設定するユーザ設定手段と、ユーザ設定手段により設定されたユーザ設定情報を記憶手段に格納する設定情報格納手段と、システム起動時に押下されたボタンを検出し、記憶手段に保持されたユーザ設定情報を用いて、検出したボタン押下状態に対応するユーザを特定し、該ユーザでのシステム起動を行う指定ユーザ起動手段と、指定ユーザ起動手段によるシステム起動後、ユーザ設定手段で設定された入力督促タイミングでユーザ識別情報の入力を促し、入力されたデータを用いて正当なユーザ否かを確認するユーザ確認手段と、を有する。
【０００９】
また、他の態様として、本発明の携帯情報端末の起動制御方法は、システム起動時におけるボタン押下状態、ユーザ及びユーザ認識情報の入力督促タイミングを関連付けてユーザ設定情報として設定するユーザ設定ステップと、ユーザ設定ステップで設定されたユーザ設定情報を記憶手段に格納する設定情報格納ステップと、システム起動時に押下されたボタンを検出し、設定情報格納ステップで保持されたユーザ設定情報を用いて、検出したボタン押下状態に対応するユーザを特定し、該ユーザでのシステム起動を行う指定ユーザ起動ステップと、指定ユーザ起動ステップによるシステム起動後、ユーザ設定手段で設定された入力督促タイミングでユーザ識別情報の入力を促し、入力されたデータを用いて正当なユーザ否かを確認するユーザ確認ステップと、を有する。
【００１０】
また、他の態様として、本発明のプログラムは、システム起動時におけるボタン押下状態、ユーザ及びユーザ認識情報の入力督促タイミングを関連付けてユーザ設定情報として設定するユーザ設定処理と、ユーザ設定処理で設定されたユーザ設定情報を記憶手段に格納する設定情報格納処理と、システム起動時に押下されたボタンを検出し、設定情報格納処理で格納されたユーザ設定情報を用いて、検出したボタン押下状態に対応するユーザを特定し、該ユーザでのシステム起動を行う指定ユーザ起動処理と、指定ユーザ起動処理によるシステム起動後、ユーザ設定手段で設定された入力督促タイミングでユーザ識別情報の入力を促し、入力されたデータを用いて正当なユーザ否かを確認するユーザ確認処理と、をコンピュータに実行させる。
【００１１】
また、他の態様として、本発明の記録媒体は、上記のプログラムを記録したコンピュータ読み取り可能な記録媒体である。
【発明の効果】
【００１２】
本発明によれば、１台の携帯情報端末が複数のユーザに共有された場合に、各共有ユーザがプライバシーの十分に保護された状態で安全に携帯情報端末を使用することが可能となる。
【発明を実施するための最良の形態】
【００１３】
図１は、本発明に係る携帯情報端末の構成を示した図である。本発明に係る携帯情報端末１は、制御手段２と記憶手段７を備え、制御手段２は、ユーザ設定手段３、設定情報格納手段４、指定ユーザ起動手段５、ユーザ確認手段６を論理的に有する。ユーザ設定手段３は、システム起動時におけるボタン押下状態、ユーザ、ユーザ認識情報の入力督促タイミングを関連付けてユーザ設定情報として設定する。設定情報格納手段４は、ユーザ設定手段３で設定されたユーザ設定情報を記憶手段７に格納する。指定ユーザ起動手段５は、システム起動時に押下されたボタンを検出し、記憶手段７に保持されたユーザ設定情報を用いて、検出したボタン押下状態に対応するユーザを特定し、該ユーザでのシステム起動を行う。ユーザ確認手段６は、指定ユーザ起動手段５によるシステム起動後、ユーザ設定手段３で設定された入力督促タイミングでユーザ識別情報の入力を促し、入力されたデータを用いて正当なユーザ否かを確認する。
【００１４】
本発明に係る携帯情報端末は、上述したように、通常の電源ボタンによるシステム起動の際に、ユーザを指定するための複数ボタンの押下設定を行う手段を備えるとともに、電源ボタンとユーザが指定する複数ボタンの押下によりユーザの切り替えを行う手段を備えるように構成する。本発明では、携帯情報端末を上記のように構成することで、起動時にユーザ指定の複数ボタンと電源ボタンの押下時の場合のみ該当ユーザでの起動を許可するため、携帯情報端末を共有する複数ユーザの各人がプライバシーの十分に保護された状態で安全に端末を使用することが可能である。もちろん、端末を紛失した場合や、害意を持った第三者に端末を操作された場合でも、強固なセキュリティ対策が講じられ、所有ユーザ以外の者が該ユーザの情報を閲覧することはできない。
【００１５】
以下、図面を参照しながら、本発明の実施形態について説明する。なお、以下に述べる実施形態は、本発明の好適な実施の形態であるから、技術的に好ましい種々の限定が付されているが、本発明の範囲は、以下の説明において特に本発明を限定する旨の記載がない限り、これらの態様に限られるものではない。
【００１６】
図２は、本実施形態のＰＤＡの構成を示した図である。本実施形態のＰＤＡ１０は、アプリケーションＡ１１０、アプリケーションＢ１２０、アプリケーションＣ１３０を備える制御部１００と、電源ボタン１４１及び操作ボタン１４２を備える操作部１４０と、メモリ１５０と、を有する。
【００１７】
アプリケーションＡ１１０は、図１のユーザ設定手段３に相当する構成で、ユーザを指定するための複数ボタンの押下設定を行うアプリケーションである。また、アプリケーションＡ１１０は、電源ボタン１４１の押下から起動されるアプリケーションであり、ユーザ追加機能１１１及びユーザ削除機能１１２を有する。ユーザ追加機能１１１は、追加の際に、ユーザ名の指定、ユーザ指定起動時に一定間隔で端末固有のパスワードを確認するアプリケーションＣ１３０を起動させる時間設定、ユーザを判定するための複数の操作ボタンの定義を行う。ただし、アプリケーションＡ１１０の起動には端末固有で設定するパスワードの入力を必要とする。また、アプリケーションＡ１１０で定義されるユーザごとに、設定されるデータや機能を保存するデータ領域をメモリ１５０に確保する。
【００１８】
アプリケーションＢ１２０は、図１の指定ユーザ起動手段５に相当する構成で、アプリケーションＡ１１０で設定された複数ボタンと電源ボタンとによりユーザの切り替えを行うアプリケーションである。本実施形態では、ユーザを選択する契機は電源ＯＮ時のみとする。アプリケーションＣ１３０は、図１のユーザ確認手段６に相当する構成で、デフォルトユーザ以外の起動の際に、アプリケーションＡ１１０で複数ボタンと併せて設定された時間ごとに端末固有のパスワードの確認を行うアプリケーションである。メモリ１５０は、アプリケーションＡ１１０が設定したデータを保持する。本実施形態では、例えばユーザ設定ａ１５１、ユーザ設定ｂ１５２、ユーザ設定ｃ１５３を保持する。
【００１９】
図３は、本実施形態においてアプリケーションＡが行うユーザ設定処理の流れを示したフローチャートである。
【００２０】
まず、電源ボタンの押下により（ステップＳ１０１）パスワードの入力をユーザに促す（ステップＳ１０２）。ユーザにより入力されたパスワードが正当なものである場合（ステップＳ１０３／ＹＥＳ）、アプリケーションＡが起動する（ステップＳ１０４）。逆に、入力されたパスワードが正当なものでない場合（ステップＳ１０３／ＮＯ）には、デフォルトユーザとしてシステム起動を行う（ステップＡ、図４のステップＳ２０７）。デフォルトユーザとしての起動は、ユーザ設定処理がなされたユーザ以外の初期状態でのシステム起動であり、使用可能な機能や閲覧可能なデータが制限される。
【００２１】
アプリケーションＡの起動後、ユーザ追加処理を行う場合（ステップＳ１０５／ＹＥＳ）は、ユーザ名の設定、起動時の複数ボタンの設定、パスワード確認時間の設定を行う（ステップＳ１０６）。ユーザ追加処理ではなくユーザ削除処理を行う場合（ステップＳ１０５／ＮＯ、ステップＳ１０７／ＮＯ）、削除するユーザを指定して設定情報の削除を行う（ステップＳ１０８）。
【００２２】
ユーザの追加処理、ユーザの削除処理が終わると、アプリケーションＡが終了し（ステップＳ１０９）、電源ＯＦＦとなる（ステップＳ１１０）。
【００２３】
図４は、本実施形態においてアプリケーションＢが行うユーザ起動処理及びアプリケーションＣが行うユーザ確認処理の流れを示したフローチャートである。
【００２４】
電源ボタンと複数ボタンの押下により（ステップＳ２０１）アプリケーションＢが起動する（ステップＳ２０２）。アプリケーションＢの起動後、メモリ内を検索し（ステップＳ２０３）、押下された複数の操作ボタンと関連付けて保持されたユーザの設定情報がある場合（ステップＳ２０４／ＹＥＳ）は、対応するユーザの設定情報を読み出して（ステップＳ２０５）、そのユーザでのシステム起動を行う（ステップＳ２０６）。
【００２５】
一方、対応する設定情報がメモリ内にない場合（ステップＳ２０４／ＮＯ）は、デフォルトユーザとしてシステム起動を行う（ステップＳ２０７）。
【００２６】
そして、押下された複数ボタンの設定に対応するユーザでシステム起動された後（ステップＳ２０６）、所定時間経過（ユーザ設定されたパスワード確認時間）となったとき（ステップＳ２０８／ＹＥＳ）、アプリケーションＣが起動する（ステップＳ２０９）。
【００２７】
アプリケーションＣの起動後、パスワードの入力をユーザに促し（ステップＳ２１０）、入力されたパスワードが正当なものである場合（ステップＳ２１１／ＹＥＳ）は、指定ユーザでの起動後の状態に移行する。入力されたパスワードが正当なものでない場合（ステップＳ２１１／ＮＯ）は、所定回数（例えば３回連続）の入力ミスがあったか否かを判定（ステップＳ２１２）し、所定回数以上の入力ミスがあったとき（ステップＳ２１２／ＹＥＳ）に携帯情報端末の電源ＯＦＦを強制的に行う（ステップＳ２１３）。
【００２８】
なお、上記のフローでは、アプリケーションＣによるパスワードの確認処理が所定時間
経過ごとに行われるが、確認処理の回数をユーザ設定情報で確認時間とともに設定し、所定の回数だけパスワード確認がなされたとき確認処理が終了となるように構成することもできる。
【００２９】
本発明の他の実施形態として、その基本的構成は上記の通りであるが、ユーザ選択起動時には、該当ユーザ以外のデータ領域にアクセスできないように、該当メモリ部分以外の電源を落とすことで、ユーザごとのセキュリティ強化を図るとともに、端末自体の電力消費を抑えることができる。その構成を図５に示す。例えば、ユーザＡでシステム起動するとき、ユーザ設定ａ２５１のみを用いるため電源２５１１のみＯＮとし、ユーザ設定ｂ２５２及びユーザ設定ｃ２５３を使用できないようにするため電源２５２１及び電源２５３１を落とすようにする。
【００３０】
本図において、ユーザごとのデータ領域については、１つのメモリにて電源を細分化して割り当てるように構成しても、ユーザごとのデータ領域にメモリを割り当てるように構成してもよい。
【００３１】
上述した本実施形態によれば、第１の効果は、電源ボタンとユーザが指定する複数ボタンの押下により、ユーザの切り替えが可能となる。
【００３２】
また、上述した本実施形態によれば、第２の効果は、ＰＤＡを紛失した場合や、害意を持った第三者に端末を操作されたとしても、端末固有のパスワードが把握できず、第三者はデフォルトユーザで起動された端末を操作することになり、ユーザの情報を閲覧できずセキュリティが保障される。
【００３３】
なお、上述する実施形態は、本発明の好適な実施形態であり、上記実施形態のみに本発明の範囲を限定するものではなく、本発明の要旨を逸脱しない範囲において種々の変更を施した形態での実施が可能である。実施形態として説明したＰＤＡのほか、携帯電話機、ＰＨＳ（Personal Handyphone System）、等の携帯情報端末にて、メモリを搭載しており、オペレーティングシステムを備えている装置に本発明を適用できる。
【００３４】
また、本実施形態におけるＰＤＡで実行されるプログラムは、先に述べた各手段（ユーザ設定手段、設定情報格納手段、指定ユーザ起動手段、ユーザ確認手段）を含むモジュール構成となっており、実際のハードウェアを用いて具体的手段を実現する。すなわち、コンピュータ（ＣＰＵ）が所定の記録媒体からプログラムを読み出して実行することにより上記各手段が主記憶装置上にロードされ、ユーザ設定手段、設定情報格納手段、指定ユーザ起動手段、ユーザ確認手段が主記憶装置上に生成される。
【００３５】
本実施形態におけるＰＤＡで実行されるプログラムは、インターネット等のネットワークに接続されたコンピュータ上に格納され、ネットワーク経由でダウンロードさせることにより提供されるように構成してもよい。また、上記プログラムをインターネット等のネットワーク経由で提供あるいは配布するように構成してもよい。
【００３６】
また、上記プログラムは、インストール可能な形式又は実行可能な形式のファイルで、フロッピー（登録商標）ディスク、ハードディスク、光ディスク、光磁気ディスク、ＣＤ−ＲＯＭ、ＣＤ−Ｒ、ＤＶＤ、不揮発性のメモリカード等のコンピュータで読み取り可能な記録媒体に記録されて提供されるように構成してもよい。また、上記プログラムは、ＲＯＭ等にあらかじめ組み込んで提供するように構成してもよい。
【００３７】
この場合、上記記録媒体から読み出された又は通信回線を通じてロードし実行されたプログラムコード自体が前述の実施形態の機能を実現することになる。そして、そのプログラムコードを記録した記録媒体は本発明を構成する。
【図面の簡単な説明】
【００３８】
【図１】本発明に係る携帯情報端末の構成を示した図である。
【図２】本発明の実施形態に係るＰＤＡの構成を示した図である。
【図３】本発明の実施形態においてアプリケーションＡが行うユーザ設定処理の流れを示したフローチャートである。
【図４】本発明の実施形態においてアプリケーションＢが行うユーザ起動処理及びアプリケーションＣが行うユーザ確認処理の流れを示したフローチャートである。
【図５】本発明の実施形態に係るＰＤＡの構成を示した図である。
【符号の説明】
【００３９】
１    携帯情報端末
２    制御手段
３    ユーザ設定手段
４    設定情報格納手段
５    指定ユーザ起動手段
６    ユーザ確認手段
７    記憶手段
１０，２０    ＰＤＡ
１１０，２１０    アプリケーションＡ
１１１，２１１    ユーザ追加機能
１１２，２１２    ユーザ削除機能
１２０，２２０    アプリケーションＢ
１３０，２３０    アプリケーションＣ
１４０，２４０    操作部
１４１，２４１    電源ボタン
１４２．２４２    操作ボタン
１５０，２５０    メモリ
１５１，２５１    ユーザ設定
１５２，２５２    ユーザ設定ｂ
１５３，２５３    ユーザ設定ｃ
２５１１，２５２１，２５３１    電源
【図１】
2010130506.tif 000003
【図２】
2010130506.tif 000004
【図３】
2010130506.tif 000005
【図４】
2010130506.tif 000006
【図５】
2010130506.tif 000007